(57)【特許請求の範囲】
【請求項１】
踵部後端から中足部近傍の足幅が狭まる部分まで延長する足底の輪郭を有し、足底の横アーチ、内側縦アーチ及び外側縦アーチの部分にそれぞれ相当する部分に、緩やかな下に凸状の横アーチパッド部、内側縦アーチパッド部及び外側縦アーチパッド部の少なくとも１つを一体に有し、前記パッドの前縁部は、第２中足部と第３中足部の間へ突出する部分を有する弾性または粘弾性パッドよりなる靴中敷き。
【請求項２】
前記パッドの前縁部は、前記パッドの前縁部内側から内側弧状部を経て前記突出する部分へ連接し、次いでそこから前縁外側弧状部を経て後退して前縁部外側に連接する輪郭に定められている請求項１の靴中敷き。
【発明の詳細な説明】
【０００１】
【発明の属する技術分野】
本発明は靴の中敷きに関し、特に足のアーチを補強するためのアーチパッドを一体的に有する中敷きに関する。
【０００２】
【従来の技術】
従来から足のアーチの低下による歩行障害の緩和、あるいはアーチ低下の回復と予防のため、例えば、老人、スポーツマンその他アーチの低下した人、低下気味の人、低下の恐れのある人、足、ひざ或いは股関節に痛みのある人等において、アーチパッドを直接靴の中敷きの上に置き、あるいは中敷きの下に敷いて使用することが提案されている。
図１は実開平６−２３５１５号に記載された従来のアーチパッド１０を示し、横軸アーチパッド１、内側縦軸アーチパッド２、及び外側アーチパッド３を一体化したパッド１０が使用されている。すなわち、足底の横アーチ、縦アーチ（内、外）の部分をほぼ完全にカバーするような形で且つ隅部を丸く形成した輪郭を有する平面状布地１２と、布地１２の裏面に一体に接着された粘弾性ポリウレタン樹脂パッド１１よりなり、粘弾性ポリウレタン樹脂パッド１１は下方に向けて凸レンズ状の曲面を有する両軸兼用アーチパッドである。このアーチパッド１０は誰にでも容易に使用でき、しかも各々の位置決めを要しない３種のパッドを一体化したアーチパッドである。
【０００３】
【発明が解決しようとする課題】
しかしながら、図１に示した従来のアーチパッド１０は土踏まずに相当する位置のみをほぼカバーするものに過ぎないため、その前後に拘束がなく粘弾性体の粘着性を利用して着用しても、歩行や運動によりずれてしまう欠陥があり、本来の作用効果を充分に発揮できない欠点がある。
また従来のアーチパッドは、主として歩行障害の緩和、あるいはアーチ低下の回復と予防のために考案されたものであるが、走行時の障害の防止には余り配慮されていない。従って、本発明はそのような場合の機能の維持あるいは障害の防止に役立つような足の踵部周辺の維持にも同時に有効なアーチパッドを有する靴中敷きを提供する。
特に、本発明は、足指がパッドに拘束されないで自由に屈曲可能となり運動機能を損ねず、加えて、裏の横アーチを効果的に支持することができると共に、母指の踏み込みを増強し、効率の良いけり出しを可能にする靴中敷きを提供する。
【０００４】
【課題を解決するための手段】
本発明は、踵部後端から中足部前縁部近傍の足幅が狭まる部分まで延長する足底の輪郭を有し、足底の横アーチ、内側縦アーチ及び外側縦アーチの部分にそれぞれ相当する部分に、緩やかな下に凸状の横アーチパッド部、内側縦アーチパッド部及び外側縦アーチパッド部の少なくとも１つを一体に有し、前記パッドの前縁部は、第２中足部と第３中足部の間へ向けて前方に突出する部分を有する、ゴム、ＥＶＡ、ポリウレタン等の弾性または粘弾性パッドとよりなる靴中敷きにより従来の問題を解決する。
上記の靴中敷きはそのままでも使用できるが、粘弾性体を使用する場合には好ましくは踵部後端から中足部、好ましくはさらに足幅が狭まる部分までに延長する足底の輪郭を有する平面状の布地（本書では布地、発泡弾性プラスチック、不織布、または合成皮革を代表して布地と称する）に接着支持させる。
パッドの前縁部は、パッドの前縁部内側から内側弧状部を経て第２中足部と第３中足部の間（すなわち第２、第３中足骨骨頭の間）に向けて前方に突出させ、次いでそこから前縁外側弧状部を経て後退して前縁部外側に連接するように定めることが望ましい。この形態ではまず足指はパッドに拘束されないで自由に屈曲可能となり運動機能を損ねないし、パッドによる障害を防ぐ。加えるに、パッド前縁に中足部突部を設けることにより、足裏の横アーチを効果的に支持することができると共に、母指の踏み込みを増強し、効率の良いけり出しを可能にする。
さらに前記足底全体をカバーする場合、一部をカバーする場合を含めて、踵部の周りを支持するように踵周辺部の肉厚を厚くすることが望ましい。踵が中敷きにより抱き込まれるので、安定性（いわゆるヒールホールド）が良くなり、歩行のみならず素行時にも足の支持と保護を行い接地時の衝撃を吸収して足の障害を防ぐことができる。
また、外側アーチに相当する部分でパッドの外縁の肉厚部分から内方にせり出した隆起部を設けることにより、外側縦アーチの支持を効果的に行うことができる。また、この部分により踵接地時に足裏外側から母指方向への体重移動が円滑になり、また小指が自然に開き易くなり、足指部の接地時の体重支持が安定する。
【０００５】
本発明では弾性あるいは粘弾性パッド（あるいはさらに布地）が踵部から中足部の足幅が狭まる部分にまで延びているので、歩行によってアーチパッドの位置がずれるおそれがなく、足のアーチの低下による歩行障害の緩和、あるいはアーチ低下の回復と予防のため、アーチパッドを直接靴の中底の上に敷くだけで使用することができる。
【０００６】
【発明の実施の形態】
以下に図２を参照して本発明を詳しく説明する。以下の実施例では布地の裏面に粘弾性体のパッドを支持させた例について説明する。布地は必須ではないが粘弾性体のパッドを使用する場合には使用した方が良い。また実施例ではパッドの素材として粘弾性体を使用したが、ＥＶＡ、ゴム、その他のエラストマー等の弾性体を使用しても良い。
【０００７】
本発明でパッド１１の素材に使用できる材料は、例えば、特公昭６２−２６３３０号公報、特開昭６１−１９６１８号等に記載の粘弾性ポリウレタン、ＥＶＡ、天然ゴム等の公知のエラストマー等の弾性体など、適当な弾性体または粘弾性体から選択できる。
【０００８】
本発明のアーチパッドは製造が容易であり、たとえば実開平６−２３５１５号に記載された方法に従い、粘弾性用の原料を、正確な厚さ分布を有する成形空洞を有する下金型と、平面状の底面を有する上金型よりなる成形機を使用し、予め計量した所定量の原料を成形空洞に装入し、その上に布地３２をかぶせ、上下金型を閉じ、金型を所定温度に昇温し、所定時間保持する。これにより、架橋が起こり、所望の粘弾性パッド３１と布地３２が完全に一体化したパッド付き中敷きが得られる。
【０００９】
図２は本発明の実施例を示す。この例では布地を使用しているが布地は必須ではなく例えばパッドが弾性体で製作される場合には不要である。しかし、この例ではパッドに粘弾性体を使用するので布地によりこれを被覆している。この例の中敷き３０は足底全体をカバーせず、踵部から中足部近傍、好ましくは靴の中に挿入した時に、靴の内壁により拘束されて移動が阻止されるように、踵から前方に延び指部の直前の足幅が狭まり始めるところまで延びる平面状布地３２とその底面にその輪郭よりも少しだけ小さく形成され且つ一体に固着された粘弾性パッド３１よりなる。踵部から中足部近傍の足幅が狭まる位置まで延長するパッド３１は踵と左右側部が拘束されるのでそれだけで充分な位置決め力が得られる。このパッド３１は内側縦アーチパッド部３４、外側縦アーチパッド部３５、及び横アーチパッド部３３を有する。この例ではパッド３１の厚さ分布を等高線で示した。丸の中に記載された数字は順に高さが増すことを示し、実際の数値を示すものではない。
図示のように、パッドの前縁部は、パッドの前縁部内側３７から内側弧状部３８を経て第２中足部と第３中足部の間（すなわち第２、第３中足骨骨頭の間）に向けて前方に突出して中足突出部３９を形成し、次いでそこから前縁外側弧状部４０を経て前縁部外側４１に連接している。
この形態では足指はパッドに拘束されないで自由に屈曲可能となり運動機能を損ねないし、パッドによる障害を防ぐ。加えるに、パッド前縁に中足部突部を設けることにより、足裏の横アーチを効果的に支持することができると共に、母指の踏み込みを増強し、効率の良いけり出しを可能にする。
また、踵周りの肉厚を図２の３６のように厚くすると、踵が中敷きにより抱き込まれるので、安定性（いわゆるヒールホールド）が良くなり、歩行のみならず素行時にも足の支持と保護を行い障害を防ぐことができる。
さらにまた、外側縦アーチパッド部３５の踵に近い部分にパッドの外縁の肉厚部分から内方にせり出した隆起部を設けることにより、外側縦アーチの支持を効果的に行うことができる。また、この部分により踵接地時に足裏外側から母指方向への体重移動が円滑になり、また小指が自然に開き易くなり、足指部の接地時の体重支持が安定する。
【００１０】
【発明の効果】
以上のように、本発明の中敷きは、従来のアーチパッドとは違って、アーチ部の位置決めが容易に且つ安定に達成できる利点が得られる。また粘弾性パッドを使用すれば弱粘着性を示すため、靴の中底に定着し易い。したがって、本発明のアーチパッドは誰にでも容易に使用できる。本発明の構造によると、アーチパッドの製造が容易であり、量産に適する。なお、いかなる患者にも適合できるように設計した一組の典型的なパッドをそろえれば、最も適切な中敷きを医師が選択するようにすれば再少数の中敷きで最大の効果を発揮できる。
踵部から中足部近傍まで延びる形態のパッドでは、パッドの前縁部内側から内側弧状部を経て第２中足部と第３中足部の間に向けて前方に突出させ、次いでそこから前縁外側弧状部を経て後退して前縁部外側に連接するように定めたので、足指はパッドに拘束されないで自由に屈曲可能となり運動機能を損ねないし、パッドによる障害を防ぐ。加えるに、パッド前縁に中足部突部を設けることにより、足裏の横アーチを効果的に支持することができると共に、母指の踏み込みを増強し、効率の良いけり出しを可能にする。
さらに踵部の周りを支持するように踵周辺部の肉厚を厚くすることにより、踵が中敷きにより抱き込み、支持安定性を増し、歩行のみならず走行時にも足の支持と保護を行い接地時の衝撃を吸収して足の障害を防ぐことができる。また、外側アーチに相当する部分でパッドの外縁の肉厚部分から内方にせり出した隆起部を設けることにより、外側縦アーチの支持を効果的に行うことができる。
また、この部分により踵接地時に足裏外側から母指方向への体重移動が円滑になり、また小指が自然に開き易くなり、足指部の接地時の体重支持が安定する。
【図面の簡単な説明】
【図１】従来のアーチパッドの底面図である。
【図２】本発明の靴中敷きの底面図で足底との相対関係を併記してある。
【符号の説明】
３０  靴中敷き
３１  弾性パッド
３２  布地
３３  横アーチパッド
３４  内側縦アーチパッド
３５  外側縦アーチパッド
３６  踵周りの肉厚部
３７  パッドの前縁部内側
３８  前縁の内側弧状部
３９  前縁の中足突出部
４０  前縁外側弧状部
４１  前縁部外側
【図１】
0003822349.tif 000002
【図２】
0003822349.tif 000003